(57)【要約】【課題】排気用のファンを使用することなく、電源ユニットの温度上昇を抑えて電源ユニットの使用寿命を改善することが可能な直管形ＬＥＤランプ用照明器具を提供すること。【解決手段】下面に電源ユニットを固設し、両端にランプソケット（給電側ランプソケットおよびアース側ランプソケット）を垂設した長手状のシャーシと、前記シャーシの下面に当該シャーシとの間に一定空間を形成して装着した上方開口のケースと、前記ランプソケット間に着脱自在に架装した直管形ＬＥＤランプと、を備え、前記ケースの可及的上部に熱気排出口を形成するとともに、当該熱気排出口より下方位置に外気吸入口を形成した直管形ＬＥＤランプ用照明器具とした。【選択図】図２
2013089304.tif 000002
【特許請求の範囲】
【請求項１】
下面に電源ユニットを固設し、両端にランプソケットを垂設した長手状のシャーシと、
前記シャーシの下面に当該シャーシとの間に一定空間を形成して装着した上方開口のケースと、
前記ランプソケット間に着脱自在に架装した直管形ＬＥＤランプと、
を備え、
前記ケースの可及的上部に熱気排出口を形成するとともに、当該熱気排出口より下方位置に外気吸入口を形成したことを特徴とする直管形ＬＥＤランプ用照明器具。
【請求項２】
前記外気吸入口は、当該外気吸入口の周縁部外側面に貼着した第１フィルタにより閉塞したことを特徴とする請求項１に記載の直管形ＬＥＤランプ用照明器具。
【請求項３】
前記熱気排出口は、当該熱気排出口の周縁部外側面に貼着した第２フィルタにより閉塞したことを特徴とする請求項１または２に記載の直管形ＬＥＤランプ用照明器具。
【発明の詳細な説明】
【技術分野】
【０００１】
この発明は、直管形ＬＥＤランプ用照明器具に関するものであり、より具体的には、電源ユニットが発する熱を効率的に放散することが可能な構造を有する直管形ＬＥＤランプ用照明器具に関するものである。
【背景技術】
【０００２】
近年の省エネルギー志向の高まりに伴い、電気製品の省電力化が急速に進んでいる。照明器具においては、従来の白熱照明や蛍光灯に代わり、使用寿命が長く発光効率の高いＬＥＤ素子を用いた製品が注目を集めている。
【０００３】
特に、従来、直管形蛍光灯を備えた照明器具はオフィスや店舗等において広く使用されており、このような照明器具を直管形ＬＥＤランプを備えた照明器具に置き換えることにより、極めて大きな節電効果が期待できる。
【０００４】
直管形ＬＥＤランプは、例えば、図１７Ａおよび図１７Ｂで示すような形態で使用する。すなわち、電源ユニット３０３を固設し、両端にランプソケット３０４，３０５を垂設した長手状のシャーシ３０２を天井Ｃに取り付け、当該シャーシ３０２に当該シャーシ３０２を覆うように長手状の上方開口のケース３０１を装着して当該ケース３０１と天井Ｃとの間に密閉空間を形成し、当該ランプソケット３０４，３０５間に直管形ＬＥＤランプＬａを着脱自在に架装した直管形ＬＥＤランプ用照明器具３００としている。
【０００５】
直管形ＬＥＤランプは、複数のＬＥＤ素子を配列した長手状の基板を円筒状のランプケース内に設けた構造を有しており、その使用寿命は、ＬＥＤ素子の封止樹脂の熱による劣化に依存するところが大きい。
【０００６】
そこで、例えば、特許文献１のようにＬＥＤ素子の基板を熱伝導率の高い素材としたり、特許文献２のように直管形ＬＥＤランプにヒートシンクを設けたりすることにより放熱効果を高め、製品の使用寿命を改善する提案は数多くなされている。
【先行技術文献】
【特許文献】
【０００７】
【特許文献１】特開２００７−２８１４６８
【特許文献２】特開２０１１−１１３８７６
【発明の概要】
【発明が解決しようとする課題】
【０００８】
しかしながら、このようにして直管形ＬＥＤランプの使用寿命が延びる一方で、電源ユニットの使用寿命は余り延びていないため、現在のところ、直管形ＬＥＤランプ用照明器具の使用寿命は、電源ユニットの使用寿命が決定していると言っても良い。従って、長期メンテナンスフリーの直管形ＬＥＤランプ用照明器具を実現するためには、電源ユニットの使用寿命を改善することが課題となる。
【０００９】
電源ユニットの使用寿命も熱による劣化に依存するところが大きい。図１７Ａおよび図１７Ｂで示されるように、電源ユニット３０３は、ケース３０１と天井Ｃとの間に形成された密閉空間に収納されている。電源ユニット３０３は直管形ＬＥＤランプ用照明器具３００における最大の熱発生源であり、電源ユニット３０３が発する熱が当該密閉空間に籠もるため、電源ユニット３０３の使用寿命を短くしてしまうという問題があった。従って、この密閉空間に籠もった熱を如何にしてケース３０１外部に放散させるかが課題となる。
【００１０】
このような場合、ケース３０１に排気用のファンを設け、ケース３０１内部の熱を強制的に放出させることが考えられるが、ファンの回転による騒音が発生するため好ましくない。また、ファンの回転には電力が必要であり、直管形ＬＥＤランプの省エネルギー性が損なわれてしまう。
【００１１】
本発明は、以上のような課題を解決するためになされたものであり、排気用のファンを使用することなく、電源ユニットの温度上昇を抑えて電源ユニットの使用寿命を改善する直管形ＬＥＤランプ用照明器具を提供することを目的とする。
【課題を解決するための手段】
【００１２】
（１）本発明の直管形ＬＥＤランプ用照明器具は、下面に電源ユニットを固設し、両端にランプソケットを垂設した長手状のシャーシと、前記シャーシの下面に当該シャーシとの間に一定空間を形成して装着した上方開口のケースと、前記ランプソケット間に着脱自在に架装した直管形ＬＥＤランプと、を備え、前記ケースの可及的上部に熱気排出口を形成するとともに、当該熱気排出口より下方位置に外気吸入口を形成したことを特徴とする。
【００１３】
（２）また、本発明は、上記（１）に記載の直管形ＬＥＤランプ用照明器具において、前記外気吸入口は、当該外気吸入口の周縁部外側面に貼着した第１フィルタにより閉塞したことを特徴とする。
【００１４】
（３）また、本発明は、上記（１）または（２）に記載の直管形ＬＥＤランプ用照明器具において、前記熱気排出口は、当該熱気排出口の周縁部外側面に貼着した第２フィルタにより閉塞したことを特徴とする。
【発明の効果】
【００１５】
請求項１の発明によれば、熱気排気口より下方位置に外気吸入口を形成したことにより、ケース内部の空気とケース外部の空気との温度差に起因する自然換気が可能となるため、排気用ファンを用いることなく、効率的に電源ユニットの温度を下げることができるという効果が得られる。その結果、電源ユニットの使用寿命が改善され、長期メンテナンスフリーの直管形ＬＥＤランプ用照明器具を提供することができる。
【００１６】
請求項２の発明によれば、空気中を浮遊する埃等が外気吸入口からケース内部に入ることを防ぐことができる。その結果、ケース内部に配設した電気回路のショートを防止し、長期メンテナンスフリーの直管形ＬＥＤランプ用照明器具を提供することができる。また、第１フィルタは外気吸入口の周縁部外側面に貼着しているため、第１フィルタおよび接着剤の熱による劣化を可及的に防止できるとともに、第１フィルタに付着した埃等の除去や、第１フィルタが外れた場合の補修も容易である。
【００１７】
請求項３の発明によれば、空気中を浮遊する埃等が熱気排気口からケース内部に入ることを防ぐことができる。その結果、ケース内部に配設した電気回路のショートを防止し、長期メンテナンスフリーの直管形ＬＥＤランプ用照明器具を提供することができる。特に、消灯時において、電源ユニットが熱を発生せずケース内部の空気の移動が起こらない場合においても、空気中を浮遊する埃等が熱気排気口からケース内部に入ることを防ぐことができる。また、第２フィルタは熱気排気口の周縁部外側面に貼着しているため、第２フィルタおよび接着剤の熱による劣化を可及的に防止できるとともに、第２フィルタに付着した埃等の除去や、第２フィルタが外れた場合の補修も容易である。
【図面の簡単な説明】
【００１８】
【図１Ａ】２灯形の直管形ＬＥＤランプ用照明器具の使用状態を示した斜視図である。
【図１Ｂ】２灯形の直管形ＬＥＤランプ用照明器具の使用状態を示した正面図である。
【図２】２灯形の直管形ＬＥＤランプ用照明器具の分解斜視図である。
【図３Ａ】直管形ＬＥＤランプの給電端子を示した図である。
【図３Ｂ】直管形ＬＥＤランプのアース端子を示した図である。
【図３Ｃ】直管形ＬＥＤランプの断面図である。
【図４】図１Ｂで示す２灯形の直管形ＬＥＤランプ用照明器具のＡ−Ａ断面図である。
【図５Ａ】ケースに形成した外気吸入口の例を示したケースの正面図である。
【図５Ｂ】ケースに形成した外気吸入口の他の例を示したケースの正面図である。
【図５Ｃ】ケースに形成した外気吸入口の他の例を示したケースの正面図である。
【図５Ｄ】ケースに形成した外気吸入口の他の例を示したケースの正面図である。
【図６Ａ】ケースに形成した熱気排出口の例を示したケースの長手方向の側面図である。
【図６Ｂ】ケースに形成した熱気排出口の他の例を示したケースの長手方向の側面図である。
【図７Ａ】ケースの末端部の拡大図である。
【図７Ｂ】外気吸入口の拡大図である。
【図７Ｃ】第１フィルタを取り付けた外気吸入口の拡大図である。
【図７Ｄ】第１フィルタを取り付けた外気吸入口の拡大断面図である。
【図７Ｅ】熱気排出口の拡大図である。
【図７Ｆ】第２フィルタを取り付けた熱気排出口の拡大図である。
【図７Ｇ】第２フィルタを取り付けた熱気排出口の拡大断面図である。
【図８Ａ】内部空間における空気の流れを示した２灯形の直管形ＬＥＤランプ用照明器具の断面図である。
【図８Ｂ】熱気排出口を側面上端縁に切り欠き状に形成した場合における熱気の排出の流れを示した断面図である。
【図８Ｃ】熱気排出口の熱気排出口下縁部に熱気ガイドを形成した場合における、熱気の排出の流れを示した断面図である。
【図９】放熱板を設けた２灯形の直管形ＬＥＤランプ用照明器具の断面図である。
【図１０】直管形ＬＥＤランプと放熱板との関係を示した斜視図である。
【図１１Ａ】１灯形の直管形ＬＥＤランプ用照明器具の使用状態を示した斜視図である。
【図１１Ｂ】１灯形の直管形ＬＥＤランプ用照明器具の使用状態を示した正面図である。
【図１２】１灯形の直管形ＬＥＤランプ用照明器具の分解斜視図である。
【図１３】図１１Ｂで示す１灯形の直管形ＬＥＤランプ用照明器具のＢ−Ｂ断面図である。
【図１４Ａ】ケースに形成した外気吸入口の例を示したケースの正面図である。
【図１４Ｂ】ケースに形成した外気吸入口の他の例を示したケースの正面図である。
【図１４Ｃ】ケースに形成した外気吸入口の他の例を示したケースの正面図である。
【図１５Ａ】ケースの末端部の拡大図である。
【図１５Ｂ】第１フィルタを取り付けた外気吸入口の拡大断面図である。
【図１５Ｃ】第２フィルタを取り付けた熱気排出口の拡大断面図である。
【図１６Ａ】内部空間における空気の流れを示した１灯形の直管形ＬＥＤランプ用照明器具の断面図である。
【図１６Ｂ】放熱板を設けた１灯形の直管形ＬＥＤランプ用照明器具の断面図である。
【図１７Ａ】従来技術による直管形ＬＥＤランプ用照明器具の使用状態を示した斜視図である。
【図１７Ｂ】従来技術による直管形ＬＥＤランプ用照明器具の分解斜視図である。
【発明を実施するための形態】
【００１９】
以下、本発明の好適な実施形態について、図面を参照しながら詳しく説明する。なお、以下の実施形態の説明における上下方向は、直管形ＬＥＤランプ用照明器具を天井に取り付けた状態を基準として記載する。
【００２０】
［実施例１］
図１Ａは、本実施例による２灯形の直管形ＬＥＤランプ用照明器具１００の使用状態を示した斜視図である。図１Ｂは、本実施例による２灯形の直管形ＬＥＤランプ用照明器具１００の使用状態を示した正面図である。なお、本実施例において、下方から見た図を２灯形の直管形ＬＥＤランプ用照明器具１００の正面図とする。図２は、本実施例による２灯形の直管形ＬＥＤランプ用照明器具１００の分解斜視図である。直管形ＬＥＤランプ用照明器具１００は、ケース１０１の外形で表されるように、いわゆる逆富士形の形状となっている。
【００２１】
直管形ＬＥＤランプ用照明器具１００は、下面に電源ユニット１０３を固設し、両端に２組の一対のランプソケット（給電側ランプソケット１０４ａ，１０４ｂ、およびアース側ランプソケット１０５ａ，１０５ｂ）を垂設した長手状のシャーシ１０２と、シャーシ１０２の下面にシャーシ１０２との間に一定空間を形成して装着した上方開口のケース１０１と、給電側ランプソケット１０４ａとアース側ランプソケット１０５ａとの間および給電側ランプソケット１０４ｂとアース側ランプソケット１０５ｂとの間に着脱自在に架装した２本の直管形ＬＥＤランプＬと、を備えている。ケース１０１の可及的上部には、少なくとも１つの熱気排出口１２２を形成している。また、ケース１０１には、熱気排出口１２２より下方位置に、少なくとも１つの外気吸入口１２１を形成している。
【００２２】
シャーシ１０２は、下面側を開放して断面略コ字状に形成された長手状の形状をしており、天井Ｃに設けた２つの取付ボルトＣ１が挿通される一対の取付ボルト挿通孔Ｃ２を形成している。すなわち、シャーシ１０２を天井Ｃに取り付ける際は、一対の取付ボルト挿通孔Ｃ２それぞれに取付ボルトＣ１を挿通して取付ナットＣ３で締め付ければよい。
【００２３】
給電側ランプソケット１０４ａ，１０４ｂには、図３Ａで示す直管形ＬＥＤランプＬの給電端子である略Ｌ字形の２つの給電側口金Ｌ１を装着可能な給電側受金１０６ａ，１０６ｂを形成している。給電側受金１０６ａ，１０６ｂは、電線１２７ａ，１２７ｂを介して電源ユニット１０３に接続されている。アース側ランプソケット１０５ａ，１０５ｂには、図３Ｂで示す直管形ＬＥＤランプＬのアース端子である略Ｔ字形のアース側口金Ｌ２を装着可能なアース側受金１０７ａ，１０７ｂを形成している。アース側受金１０７ａ，１０７ｂは、アース線１２８ａ，１２８ｂを介して接地されている。
【００２４】
シャーシ１０２の下面側、すなわちシャーシ１０２の断面略コ字状の開放側には、電源ユニット１０３が固設されている。本実施例において、電源ユニット１０３は、シャーシ１０２の長手方向の略中央から給電側ランプソケット１０４ａ，１０４ｂ寄りの位置に固設している。
【００２５】
図３Ｃは、直管形ＬＥＤランプＬの断面図である。直管形ＬＥＤランプＬは、下面に複数のＬＥＤ素子Ｌ４を実装した基板Ｌ３を内部に備えている。
【００２６】
ケース１０１は断面逆富士形の長手状の形状をしており、シャーシ１０２を覆う金属製の長手状の主板１０８と、ケース１０１の長手方向の両端部を閉塞する２枚の逆富士形状の金属製の端板１０９とで構成されている。主板１０８には、ケース１０１の内部に外気を吸入するための少なくとも１つの外気吸入口１２１、およびケース１０１の内部の熱気を排出するための少なくとも１つの熱気排出口１２２を形成している。
【００２７】
本実施例におけるケース１０１の具体的な構成について、図４〜図６Ｂを参照しながら説明する。図４は、図１Ｂで示す直管形ＬＥＤランプ用照明器具１００のＡ−Ａ断面図である。図５Ａ〜図５Ｄは、ケース１０１に形成した外気吸入口１２１の例を示したケース１０１の正面図である。なお、本実施例において、直管形ＬＥＤランプ用照明器具１００を天井Ｃに取り付けた状態を基準として、下方から見た図をケース１０１の正面図とする。図６Ａおよび図６Ｂは、ケース１０１に形成した熱気排出口１２２の例を示したケース１０１の長手方向の側面図である。
【００２８】
図示するように、主板１０８は、一枚の金属製の薄板を折り曲げ成形して断面逆富士形の形状としている。主板１０８の下端は下端屈曲部１０８ａで略Ｖ字状に屈曲しており、この下端屈曲部１０８ａから斜め上方向に伸延した２つの斜面１０８ｂを形成している。本実施例においては、この２つの斜面１０８ｂが直管形ＬＥＤランプＬの取付面となり、直管形ＬＥＤランプ用照明器具１００の使用時においては、２つの斜面１０８ｂそれぞれの下方に直管形ＬＥＤランプＬが位置することとなる。主板１０８は、２つの斜面１０８ｂの斜面上端縁１０８ｃからそれぞれ鉛直上方向に屈曲して伸延しており、２つの側面１０８ｄを形成している。２つの側面１０８ｄの側面上端縁１０８ｅには、ケース１０１の内側に向けて略水平方向に屈曲して形成した返し部１０８ｆを形成しており、ケース１０１の強度を強化するとともに、天井Ｃへ取り付けた際に返し部１０８ｆが天井Ｃと略当接するようにしている。
【００２９】
２つの斜面１０８ｂの長手方向の両端近傍には、給電側ランプソケット１０４ａ，１０４ｂおよびアース側ランプソケット１０５ａ，１０５ｂの横断面の形状と略同形とした、２組の一対のランプソケット挿通孔１１０を形成している。ケース１０１をシャーシ１０２に取り付けた際、給電側ランプソケット１０４ａ，１０４ｂおよびアース側ランプソケット１０５ａ，１０５ｂは、ランプソケット挿通孔１１０を挿通してケース１０１の下方に突出する。
【００３０】
図２に示されるように、ケース１０１は、主板１０８の下端屈曲部１０８ａの両端近傍に設けた一対のネジ挿通孔１１１それぞれにネジ１１２を挿通し、シャーシ１０２の両端近傍に設けた一対のネジ穴１１３に当該ネジ１１２を螺合することによって、シャーシ１０２を下方から覆うように取り付けられる。その結果、図４に示されるように、ケース１０１とシャーシ１０２との間には一定空間を形成するとともに、当該ケース１０１と天井Ｃとに囲まれた内部空間１１４を形成する。
【００３１】
ケース１０１の２つの斜面１０８ｂには、内部空間１１４に外部の空気を取り入れるための外気吸入口１２１を少なくとも１つ形成している。図５Ａ〜図５Ｄは、ケース１０１に形成した外気吸入口１２１の例を示した図である。
【００３２】
図５Ａに示す例においては、２組の一対のランプソケット挿通孔１１０の中央部をそれぞれ結んだ直線上に、等間隔ａを有する複数の長方形の外気吸入口１２１を形成している。図５Ｂに示す例においては、２組の一対のランプソケット挿通孔１１０の下縁部をそれぞれ結んだ直線上に、等間隔ａを有する複数の長方形の外気吸入口１２１を形成している。図５Ｃに示す例においては、２組の一対のランプソケット挿通孔１１０の上縁部をそれぞれ結んだ直線上に、等間隔ａを有する複数の長方形の外気吸入口１２１を形成している。このように外気吸入口１２１を一対のランプソケット挿通孔１１０を結んだ直線上に形成することにより、直管形ＬＥＤランプ用照明器具１００の使用時において外気吸入口１２１が直管形ＬＥＤランプＬに隠れた状態となり、美感上好ましい。
【００３３】
図５Ａ〜図５Ｃに示す例において、外気吸入口１２１は少なくとも３ｍｍ×３５ｍｍの大きさとし、２つの斜面１０８ｂそれぞれに８箇所ずつの外気吸入口１２１を形成している。外気吸入口１２１の大きさを３ｍｍ×３５ｍｍよりも大きくすれば、外気を効率的に内部空間１１４に取り入れることができる。電源ユニット１０３をより効率的に冷却するためには、外気吸入口１２１の大きさをより大きくし、より多数の外気吸入口１２１をケース１０１に設けることが好ましい。
【００３４】
図５Ｄに示す例においては、ケース１０１の下端屈曲部１０８ａに沿って、等間隔ａを有する複数の長方形の外気吸入口１２１を形成している。この例においては、ケース１０１の２つの斜面１０８ｂそれぞれの下端縁に、等間隔ａを有する８箇所ずつの３ｍｍ×３５ｍｍの外気吸入口１２１を形成している。その結果、下端屈曲部１０８ａに対して線対称に配置されたそれぞれの外気吸入口１２１は下端屈曲部１０８ａで一体となり、下端屈曲部１０８ａに沿って合計８箇所の外気吸入口１２１を形成している。このように外気吸入口１２１をケース１０１の最も下端に形成することにより、内部空間１１４への外気の吸入、および内部空間１１４の熱気の排出をより効率的に行うことができる。内部空間１１４における空気の循環の詳細については後述する。
【００３５】
図６Ａおよび図６Ｂは、ケース１０１に形成した熱気排出口１２２の例を示した図である。図示するように、ケース１０１の２つの側面１０８ｄの可及的上部には、電源ユニット１０３が発する熱をケース１０１の外部に排出するための熱気排出口１２２を少なくとも１つ形成している。
【００３６】
図６Ａに示す例においては、２つの側面１０８ｄの可及的上部に、複数の長方形の熱気排出口１２２を形成している。図６Ｂに示す例においては、２つの側面１０８ｄの側面上端縁１０８ｅに、複数の切り欠き状の長方形の熱気排出口１２２を形成している。図６Ａおよび図６Ｂに示す例において、熱気排出口１２２は少なくとも３ｍｍ×３５ｍｍの大きさとし、２つの側面１０８ｄそれぞれに４箇所ずつの熱気排出口１２２を形成している。熱気排出口１２２の大きさを３ｍｍ×３５ｍｍよりも大きくすれば、内部空間１１４の熱気を効率的にケース１０１の外部に排出することができる。電源ユニット１０３をより効率的に冷却するためには、熱気排出口１２２の大きさをより大きくし、より多数の熱気排出口１２２をケース１０１に設けることが好ましい。
【００３７】
熱気排出口１２２は、電源ユニット１０３の近傍において、より多く形成している。すなわち、図６Ａおよび図６Ｂに示す例では、側面１０８ｄの長手方向の中央部に１つの熱気排出口１２２ｃ，１２２ｃ’を形成するとともに、熱気排出口１２２ｃ，１２２ｃ’の電源ユニット１０３側の短辺１２２ｃ１，１２２ｃ１’と側面１０８ｄの電源ユニット１０３側の端縁１０８ｄ１との間において等間隔ｂを設けた２つの熱気排出口１２２ａ，１２２ｂ，１２２ａ’，１２２ｂ’を形成し、熱気排出口１２２ｃ，１２２ｃ’の他方の短辺１２２ｃ２，１２２ｃ２’と側面１０８ｄの他方の端縁１０８ｄ２との間において等間隔ｃを設けた１つの熱気排出口１２２ｄ，１２２ｄ’を形成している。なお、図６Ａおよび図６Ｂでは、それぞれ片側の側面１０８ｄに形成した熱気排出口１２２のみ示しているが、図示されない反対側の側面１０８ｄにおいても同様に、熱気排出口１２２は、電源ユニット１０３の近傍において、より多く形成している。
【００３８】
熱気排出口１２２を側面１０８ｄの可及的上部に形成するのは、内部空間１１４の熱気とケース１０１外部の外気との温度差に起因する自然換気により、内部空間１１４の熱気を効率的にケース１０１の外部へ排出させるためである。熱気が内部空間１１４から外部へ排出される際の空気の流れの詳細については後述する。
【００３９】
なお、本実施例において、電源ユニット１０３はシャーシ１０２の長手方向の略中央から給電側ランプソケット１０４ａ，１０４ｂ寄りの位置に固設しているが、電源ユニット１０３を固設する位置は適宜変更しても良い。その場合、電源ユニット１０３を固設した位置の近傍において、より多数の熱気排出口１２２をケース１０１に設ければ良い。
【００４０】
図７Ａ〜図７Ｇに示すように、外気中に浮遊する埃等がケース１０１の内部空間１１４に入らないようにするため、外気吸入口１２１および熱気排出口１２２にフィルタを取り付けても良い。図７Ａはケース１０１の末端部の拡大図である。図７Ｂは外気吸入口１２１の拡大図であり、図７Ｃは第１フィルタ１２３を取り付けた外気吸入口１２１の拡大図である。図７Ｄは、第１フィルタ１２３を取り付けた外気吸入口１２１の拡大断面図である。図７Ｅは熱気排出口１２２の拡大図であり、図７Ｆは第２フィルタ１２４を取り付けた熱気排出口１２２の拡大図である。図７Ｇは、第２フィルタ１２４を取り付けた熱気排出口１２２の拡大断面図である。
【００４１】
第１フィルタ１２３および第２フィルタ１２４は、外部の埃等がケース１０１の内部空間１１４に入ることを防止できるものであれば、素材は特に限定されない。第１フィルタ１２３および第２フィルタ１２４は同じ素材のものを用いても、異なる素材のものを用いても良い。例えば、第１フィルタ１２３の網目構造よりも大きな網目構造を有する第２フィルタ１２４を用いることにより、第２フィルタ１２４を通した熱気の排気がよりスムーズとなり、電源ユニット１０３をより効率的に冷却することが可能となる。
【００４２】
第１フィルタ１２３および第２フィルタ１２４は、エポキシ樹脂等を接着剤として用いて、外気吸入口１２１および熱気排出口１２２の周縁部外側面１２５，１２６にそれぞれ貼着している。第１フィルタ１２３や第２フィルタ１２４を用いてケース１０１の内部空間１１４に埃等が入るのを防ぐことができる。その結果、ケース１０１内部に配設した電気回路のショートを防止し、長期メンテナンスフリーの直管形ＬＥＤランプ用照明器具を提供することができる。また、第１フィルタ１２３および第２フィルタ１２４はケース１０１の外側から貼着しているため、第１フィルタ１２３および第２フィルタ１２４やエポキシ樹脂の熱劣化を防止できるとともに、第１フィルタ１２３および第２フィルタ１２４に付着した埃等の除去や、第１フィルタ１２３および第２フィルタ１２４が外れた場合の補修も容易である。
【００４３】
直管形ＬＥＤランプＬの点灯時は、電源ユニット１０３から発生する熱により内部空間１１４において空気の流れが生じ、常に熱気排出口１２２から熱気がケース１０１の外部に排出されているため、埃等が熱気排出口１２２からケース１０１の内部空間１１４に入るということは考えにくい。しかしながら、直管形ＬＥＤランプＬの消灯時は内部空間１１４における空気の移動が起こりにくいため、熱気排出口１２２から内部空間１１４に埃等が入る可能性がある。熱気排出口１２２に第２フィルタ１２４を貼着することにより、直管形ＬＥＤランプＬの消灯時においても、埃等が内部空間１１４に入ることを防ぐことができる。
【００４４】
第１フィルタ１２３および第２フィルタ１２４の素材として、メルトブローン法により製造した不織布を用いても良い。このメルトブローン法により製造した不織布はポリプロピレンからなる超極細繊維が積層して形成した網目構造を有している。また、この不織布には静電気を帯電させる処理が施されており、一定の静電気の電荷が帯電した状態となっている。従って、この不織布は、超極細繊維の網目構造によって埃等の通過を阻止する効果を有するとともに、静電気によって埃等を吸着する効果も有するため、埃等の通過を極めて効率的に阻止することが可能である。
【００４５】
図８Ａは本実施例による直管形ＬＥＤランプ用照明器具１００の断面図であり、直管形ＬＥＤランプ用照明器具１００使用時の内部空間１１４における空気の流れを示している。なお、この図は、電源ユニット１０３、外気吸入口１２１、および熱気排出口１２２が同一平面に存在する位置における断面を示している。図中、点線で示した矢印は外気および内部空間１１４に吸入された外気の流れを表し、実線で示した矢印は熱気の流れを表している。
【００４６】
直管形ＬＥＤランプ用照明器具１００の使用時においては、内部空間１１４とケース１０１外部との温度差による自然換気が起こるものと考えられる。温度差による自然換気量は、外気吸入口１２１および熱気排出口１２２の開口面積が大きく、外気吸入口１２１と熱気排出口１２２の中心間の垂直距離が大きく、内部空間１１４とケース１０１外部の気温の差が大きいほど多くなる。従って、ケース１０１に形成する外気吸入口１２１および熱気排出口１２２の開口面積の合計をできるだけ大きくするとともに、外気吸入口１２１と熱気排出口１２２の中心間の垂直距離をできるだけ大きくすることにより、より効率的に電源ユニット１０３を自然換気によって冷却することが可能となる。
【００４７】
図示されるように、電源ユニット１０３で熱せられて生じた熱気は、内部空間１１４を上昇して熱気排出口１２２より排出されるため、内部空間１１４の圧力は低下する。その結果、外気が外気吸入口１２１を通して内部空間１１４へ吸入される。本実施例による直管形ＬＥＤランプ用照明器具１００の使用時は内部空間１１４でこのような空気の流れが自然に生じるため、電源ユニット１０３を効率的に冷却し、電源ユニット１０３の温度上昇を抑えることができる。その結果、電源ユニット１０３の使用寿命が改善され、長期メンテナンスフリーの直管形ＬＥＤランプ用照明器具１００とすることができる。
【００４８】
図８Ｂは、熱気排出口１２２を側面上端縁１０８ｅに切り欠き状に形成した場合における、熱気の排出の流れを示した断面図である。このように、熱気排出口１２２を側面上端縁１０８ｅに切り欠き状に形成することにより、天井Ｃ付近を熱気排出口１２２に向かって流れる熱気を、よりスムーズにケース１０１の外部に排出することができる。
【００４９】
図８Ｃは、熱気排出口１２２の熱気排出口下縁部１２２ｘに熱気ガイド１１５を形成した場合における、熱気の排出の流れを示した断面図である。熱気ガイド１１５は、側面１０８ｄに熱気排出口１２２を開ける際に熱気排出口下縁部１２２ｘを切り取らずに残しておき、当該熱気排出口下縁部１２２ｘをケース１０１の内部側に向けて所定の角度αだけ折り曲げることにより形成する。
【００５０】
側面１０８ｄと熱気ガイド１１５とがなす角度αは、９０度以下とすることが望ましい。図示されるように、角度αを９０度以下とすることにより、内部空間１１４の熱気が熱気ガイド１１５に導かれ、よりスムーズに排出されると考えられる。すなわち、電源ユニット１０３で熱せられて生じた熱気は、天井Ｃ付近を熱気排出口１２２に向かって水平方向に進み、側面１０８ｄの上部に当たり下方向へと進路を変えるが、その後、熱気ガイド１１５に当たり、外部へとスムーズに排出されると考えられる。また、このような熱気ガイド１１５を熱気排出口１２２に形成することにより、熱気排出口１２２に第２フィルタ１２４を設けない場合であっても、埃等が熱気排出口１２２からケース１０１の内部に入ることを抑える事ができる。
【００５１】
図９は、給電側ランプソケット１０４ａとアース側ランプソケット１０５ａの間、および給電側ランプソケット１０４ｂとアース側ランプソケット１０５ｂの間に放熱板１１６ａ，１１６ｂを架設した場合における、内部空間１１４の空気の流れを示した直管形ＬＥＤランプ用照明器具１００の断面図である。放熱板１１６ａ，１１６ｂは、熱伝導性や放熱性に優れたアルミニウム等の素材で形成し、図１０で示すように直管形ＬＥＤランプＬの曲面に沿う形状として直管形ＬＥＤランプＬの上部にできるだけ密着させ、直管形ＬＥＤランプＬが備えるＬＥＤ素子Ｌ４が発する熱を放熱板１１６ａ，１１６ｂを介してできるだけ放熱しやすいようにする。このような放熱板１１６ａ，１１６ｂを直管形ＬＥＤランプＬの上部に設けることにより、直管形ＬＥＤランプＬが備えるＬＥＤ素子Ｌ４が発する熱で暖められた空気によって、直管形ＬＥＤランプＬの上方に斜面１０８ｂに沿った外気の上昇気流が発生し易くなり、外気吸入口１２１から内部空間１１４への外気の吸入、および内部空間１１４の熱気の熱気排出口１２２からの排出が促進される。その結果、より効果的に電源ユニット１０３を冷却することが可能となる。
【００５２】
［実施例２］
図１１Ａは、本実施例による１灯形の直管形ＬＥＤランプ用照明器具２００の使用状態を示した斜視図である。図１１Ｂは、本実施例による１灯形の直管形ＬＥＤランプ用照明器具２００の使用状態を示した正面図である。なお、本実施例において、下方から見た図を１灯形の直管形ＬＥＤランプ用照明器具２００の正面図とする。図１２は、本実施例による１灯形の直管形ＬＥＤランプ用照明器具２００の分解斜視図である。直管形ＬＥＤランプ用照明器具２００は、ケース２０１の外形で表されるように、いわゆる逆富士形の形状となっている。なお、実施例１で示した２灯形の直管形ＬＥＤランプ用照明器具１００の形状も、ケース１０１の外形に基づき、いわゆる逆富士形と称されるが、ケース１０１とケース２０１とは下部の形状において若干異なっている。
【００５３】
直管形ＬＥＤランプ用照明器具２００は、下面に電源ユニット２０３を固設し、両端に一対のランプソケット（給電側ランプソケット２０４、およびアース側ランプソケット２０５）を垂設した長手状のシャーシ２０２と、シャーシ２０２の下面にシャーシ２０２との間に一定空間を形成して装着した上方開口のケース２０１と、給電側ランプソケット２０４とアース側ランプソケット２０５との間に着脱自在に架装した直管形ＬＥＤランプＬと、を備えている。ケース２０１の可及的上部には、少なくとも１つの熱気排出口２２２を形成している。また、ケース２０１には、熱気排出口２２２より下方位置に、少なくとも１つの外気吸入口２２１を形成している。
【００５４】
シャーシ２０２は、下面側を開放して断面略コ字状に形成された長手状の形状をしており、天井Ｃに設けた２つの取付ボルトＣ１１が挿通される一対の取付ボルト挿通孔Ｃ１２を形成している。すなわち、シャーシ２０２を天井Ｃに取り付ける際は、一対の取付ボルト挿通孔Ｃ１２それぞれに取付ボルトＣ１１を挿通して取付ナットＣ１３で締め付ければよい。
【００５５】
給電側ランプソケット２０４には、図３Ａで示す直管形ＬＥＤランプＬの給電端子である略Ｌ字形の２つの給電側口金Ｌ１を装着可能な給電側受金２０６を形成している。給電側受金２０６は、電線２２７を介して電源ユニット２０３に接続されている。アース側ランプソケット２０５には、図３Ｂで示す直管形ＬＥＤランプＬのアース端子である略Ｔ字形のアース側口金Ｌ２を装着可能なアース側受金２０７を形成している。アース側受金２０７は、アース線２２８を介して接地されている。
【００５６】
シャーシ２０２の下面側、すなわちシャーシ２０２の断面略コ字状の開放側には、電源ユニット２０３が固設されている。本実施例において、電源ユニット２０３は、シャーシ２０２の長手方向の略中央から給電側ランプソケット２０４寄りの位置に固設している。
【００５７】
ケース２０１は断面逆富士形の長手状の形状をしており、シャーシ２０２を覆う金属製の長手状の主板２０８と、ケース２０１の長手方向の両端部を閉塞する２枚の逆富士形状の金属製の端板２０９とで構成されている。主板２０８には、ケース２０１の内部に外気を吸入するための少なくとも１つの外気吸入口２２１、およびケース２０１の内部の熱気を排出するための少なくとも１つの熱気排出口２２２を形成している。
【００５８】
本実施例におけるケース２０１の具体的な構成について、図１３〜図１４Ｃを参照しながら説明する。図１３は、図１１Ｂで示す直管形ＬＥＤランプ用照明器具２００のＢ−Ｂ断面図である。図１４Ａ〜図１４Ｃは、ケース２０１に形成した外気吸入口２２１の例を示したケース２０１の正面図である。なお、本実施例において、直管形ＬＥＤランプ用照明器具２００を天井Ｃに取り付けた状態を基準として、下方から見た図をケース２０１の正面図とする。
【００５９】
図示するように、主板２０８は、一枚の金属製の薄板を折り曲げ成形して断面逆富士形の形状としている。主板２０８の下部は水平面２０８ａを形成しており、この水平面２０８ａの両端部から斜め上方向に伸延した２つの斜面２０８ｂを形成している。本実施例においては、この水平面２０８ａが直管形ＬＥＤランプＬの取付面となり、直管形ＬＥＤランプ用照明器具２００の使用時においては、水平面２０８ａの下方に直管形ＬＥＤランプＬが位置することとなる。主板２０８は、２つの斜面２０８ｂの斜面上端縁２０８ｃからそれぞれ鉛直上方向に屈曲して伸延しており、２つの側面２０８ｄを形成している。２つの側面２０８ｄの側面上端縁２０８ｅには、ケース２０１の内側に向けて略水平方向に屈曲して形成した返し部２０８ｆを形成しており、ケース２０１の強度を強化するとともに、天井Ｃへ取り付けた際に返し部２０８ｆが天井Ｃと略当接するようにしている。
【００６０】
水平面２０８ａの長手方向の両端近傍には、給電側ランプソケット２０４およびアース側ランプソケット２０５の横断面の形状と略同形とした、一対のランプソケット挿通孔２１０を形成している。ケース２０１をシャーシ２０２に取り付けた際、給電側ランプソケット２０４およびアース側ランプソケット２０５は、ランプソケット挿通孔２１０を挿通してケース２０１の下方に突出する。
【００６１】
図１２に示されるように、ケース２０１は、主板２０８の水平面２０８ａの両端近傍に設けた一対のネジ挿通孔２１１それぞれにネジ２１２を挿通し、シャーシ２０２の両端近傍に設けた一対のネジ穴２１３に当該ネジ２１２を螺合することによって、シャーシ２０２を下方から覆うように取り付けられる。その結果、図１３に示されるように、ケース２０１とシャーシ２０２との間には一定空間を形成するとともに、当該ケース２０１と天井Ｃとに囲まれた内部空間２１４を形成する。
【００６２】
ケース２０１の水平面２０８ａには、内部空間２１４に外部の空気を取り入れるための少なくとも１つの外気吸入口２２１を形成している。図１４Ａ〜図１４Ｃは、ケース２０１に形成した外気吸入口２２１の例を示した図である。
【００６３】
図１４Ａに示す例では、水平面２０８ａにおいて、一対のランプソケット挿通孔２１０の中央部を結んだ直線上に、等間隔ａを有する複数の長方形の外気吸入口２２１を形成している。図１４Ｂに示す例では、水平面２０８ａにおいて、一対のランプソケット挿通孔２１０の両端部をそれぞれ結んだ直線上に、等間隔ａを有する複数の長方形の外気吸入口２２１を形成している。図１４Ｃに示す例にでは、斜面２０８ｂの下縁部に沿って、等間隔ａを有する複数の長方形の外気吸入口２２１を形成している。このように外気吸入口２２１をケース２０１の下部に形成することにより、内部空間２１４への外気の吸入、および内部空間２１４の熱気の排出をより効率的に行うことができる。すなわち、上記実施例１において説明したように、直管形ＬＥＤランプ用照明器具２００の使用時においても内部空間２１４とケース２０１外部との温度差による自然換気が起こるものと考えられるが、外気吸入口２２１と熱気排出口２２２の中心間の垂直距離をできるだけ大きくすることにより、内部空間２１４への外気の吸入、および内部空間２１４の熱気の排出をより効率的に行うことができる。また、図１４Ａおよび図１４Ｂに示す例においては、直管形ＬＥＤランプ用照明器具２００の使用時において外気吸入口２２１が直管形ＬＥＤランプＬに隠れた状態となり、美感上好ましい。
【００６４】
図１４Ａに示す例においては、等間隔ａを有する８箇所の６ｍｍ×３５ｍｍの外気吸入口２２１を形成している。実施例１でも述べたように、外気吸入口２２１は少なくとも３ｍｍ×３５ｍｍの大きさを有すれば良いが、外気を効率よく吸入するための十分な面積を確保するため、この例においては外気吸入口２２１を６ｍｍ×３５ｍｍの大きさとしている。図１４Ｂおよび図１４Ｃに示す例では、外気吸入口２２１は少なくとも３ｍｍ×３５ｍｍの大きさとし、１列当たり８箇所ずつの外気吸入口２２１を水平面２０８ａに形成している。
【００６５】
ケース２０１の２つの側面２０８ｄの可及的上部には、電源ユニット２０３が発する熱をケース２０１の外部に排出するための熱気排出口２２２を少なくとも１つ形成している。なお、熱気排出口２２２の形成方法のパターン（形成位置や、熱気ガイドの形成等）やそれぞれの特徴は、上記実施例１において説明した例と同様であるため、ここでの詳細な説明は省略する。
【００６６】
図１５Ａ〜図１５Ｃは、外気吸入口２２１と熱気排出口２２２に第１フィルタ２２３と第２フィルタ２２４をそれぞれ取り付けた場合における、ケース２０１の例を示した図である。図１５Ａはケース２０１の末端部の拡大図であり、図１５Ｂは外気吸入口２２１の拡大断面図であり、図１５Ｃは熱気排出口２２２の拡大断面図である。図示されるように、外気中に浮遊する埃等がケース２０１の内部空間２１４に入らないようにするため、エポキシ樹脂等を用いて、外気吸入口２２１および熱気排出口２２２の周縁部外側面２２５，２２６に、第１フィルタ２２３および第２フィルタ２２４をそれぞれ貼着して取り付けても良い。なお、使用する第１フィルタ２２３および第２フィルタ２２４の特徴や、第１フィルタ２２３および第２フィルタ２２４を外気吸入口２２１および熱気排出口２２２へ取り付ける方法は、上記実施例１において説明した例と同様であるため、ここでの詳細な説明は省略する。
【００６７】
図１６Ａは本実施例による直管形ＬＥＤランプ用照明器具２００の断面図であり、直管形ＬＥＤランプ用照明器具２００使用時の内部空間２１４における空気の流れを示している。なお、この図は、電源ユニット２０３、外気吸入口２２１、および熱気排出口２２２が同一平面に存在する位置における断面を示している。図中、点線で示した矢印は外気および内部空間２１４に吸入された外気の流れを表し、実線で示した矢印は熱気の流れを示している。
【００６８】
実施例１の場合と同様、直管形ＬＥＤランプ用照明器具２００の使用時においては、内部空間２１４の空気とケース２０１外部の空気との温度差による自然換気が起こるものと考えられる。従って、直管形ＬＥＤランプ用照明器具２００の場合も、ケース２０１に形成する外気吸入口２２１および熱気排出口２２２の開口面積の合計をできるだけ大きくするとともに、外気吸入口２２１と熱気排出口２２２の中心間の垂直距離をできるだけ大きくすることにより、電源ユニット２０３をより効率的に自然換気によって冷却することが可能となる。
【００６９】
図示されるように、電源ユニット２０３で熱せられて生じた熱気は、内部空間２１４を上昇して熱気排出口２２２より排出されるため、内部空間２１４の圧力は低下する。その結果、外気が外気吸入口２２１を通して内部空間２１４へ吸入される。本実施例による直管形ＬＥＤランプ用照明器具２００の使用時は内部空間２１４でこのような空気の流れが自然に生じるため、電源ユニット２０３を効率的に冷却し、電源ユニット２０３の温度上昇を抑えることができる。その結果、電源ユニット２０３の使用寿命が延び、長期メンテナンスフリーの直管形ＬＥＤランプ用照明器具２００とすることができる。
【００７０】
図１６Ｂは、給電側ランプソケット２０４およびアース側ランプソケット２０５の間に放熱板２１６を架設した場合における、内部空間２１４の空気の流れを示した直管形ＬＥＤランプ用照明器具２００の断面図である。放熱板２１６の形成方法は実施例１の場合と同様である。このような放熱板２１６を直管形ＬＥＤランプＬ上部に設けることにより、直管形ＬＥＤランプＬが備えるＬＥＤ素子Ｌ４が発する熱で暖められた空気によって、直管形ＬＥＤランプＬの上方から斜面２０８ｂに沿った外気の上昇気流が発生し易くなり、外気吸入口２２１から内部空間２１４への外気の吸入、および内部空間２１４の熱気の熱気排出口２２２からの排出が促進される。その結果、より効果的に電源ユニット２０３を冷却することが可能となる。
【００７１】
以上、本発明の実施の形態を図面に基づいて詳細に説明したが、これらは例示であり、当業者の知識に基づき、様々な組み合わせの変更を行った形態や、種々の変形、改良等を施した他の形態で本発明を実施することが可能である。例えば、ケース１０１，２０１に形成する外気吸入口１２１，２２１や熱気排出口１２２，２２２の形状、大きさ、位置、数等は、図面で示された構成や組み合わせに限られず、上記実施例で述べた趣旨や技術的思想を逸脱しない範囲内で、適宜変更することが可能である。
【符号の説明】
【００７２】
１００，２００  直管形ＬＥＤランプ用照明器具
１０１，２０１  ケース
１０２，２０２  シャーシ
１０３，２０３  電源ユニット
１０４ａ，１０４ｂ，２０４  給電側ランプソケット
１０５ａ，１０５ｂ，２０５  アース側ランプソケット
１２１，２２１  外気吸入口
１２２，１２２ａ，１２２ａ’，１２２ｂ，１２２ｂ’，１２２ｃ，１２２ｃ’，１２２ｄ，１２２ｄ’，２２２  熱気排出口
１２３，２２３  第１フィルタ
１２５，２２５  外気吸入口の周縁部外側面
１２４，２２４  第２フィルタ
１２６，２２６  熱気排出口の周縁部外側面
Ｌ  直管形ＬＥＤランプ
【図１Ａ】
2013089304.tif 000003
【図１Ｂ】
2013089304.tif 000004
【図２】
2013089304.tif 000005
【図３Ａ】
2013089304.tif 000006
【図３Ｂ】
2013089304.tif 000007
【図３Ｃ】
2013089304.tif 000008
【図４】
2013089304.tif 000009
【図５Ａ】
2013089304.tif 000010
【図５Ｂ】
2013089304.tif 000011
【図５Ｃ】
2013089304.tif 000012
【図５Ｄ】
2013089304.tif 000013
【図６Ａ】
2013089304.tif 000014
【図６Ｂ】
2013089304.tif 000015
【図７Ａ】
2013089304.tif 000016
【図７Ｂ】
2013089304.tif 000017
【図７Ｃ】
2013089304.tif 000018
【図７Ｄ】
2013089304.tif 000019
【図７Ｅ】
2013089304.tif 000020
【図７Ｆ】
2013089304.tif 000021
【図７Ｇ】
2013089304.tif 000022
【図８Ａ】
2013089304.tif 000023
【図８Ｂ】
2013089304.tif 000024
【図８Ｃ】
2013089304.tif 000025
【図９】
2013089304.tif 000026
【図１０】
2013089304.tif 000027
【図１１Ａ】
2013089304.tif 000028
【図１１Ｂ】
2013089304.tif 000029
【図１２】
2013089304.tif 000030
【図１３】
2013089304.tif 000031
【図１４Ａ】
2013089304.tif 000032
【図１４Ｂ】
2013089304.tif 000033
【図１４Ｃ】
2013089304.tif 000034
【図１５Ａ】
2013089304.tif 000035
【図１５Ｂ】
2013089304.tif 000036
【図１５Ｃ】
2013089304.tif 000037
【図１６Ａ】
2013089304.tif 000038
【図１６Ｂ】
2013089304.tif 000039
【図１７Ａ】
2013089304.tif 000040
【図１７Ｂ】
2013089304.tif 000041